(57)【要約】【課題】運賃の精算を預託金により自動精算するとともに、携帯端末からの預託金の登録を簡単にする。【解決手段】券売機１０がユーザから入力された預託金額および支払い方法から預託金コードを生成して表示する手段と、ユーザ携帯端末２０が預託金コードを撮影し預託金コードから預託金額および支払い方法を読み取る手段と、ユーザ携帯端末２０が預託金額，支払い方法に携帯端末ＩＤを付加して預託金管理サーバ３０に送信する手段と、預託金管理サーバ３０がユーザ毎の預託金の登録と支払い方法に応じた決済とを行う手段と、改札時に改札機システムが受信したユーザ携帯端末２０の携帯端末ＩＤと駅情報を預託金管理サーバ３０に送信する手段と、預託金管理サーバ３０が運賃を算出し預託金から運賃の精算を行う手段とを有する。【選択図】      図１
2005018201.tif 000002
【特許請求の範囲】
【請求項１】
券売機と、ユーザ携帯端末と、預託金管理サーバと、改札機システムと、ユーザ携帯端末，預託金管理サーバ，改札機システムを相互に接続するネットワークとを備えた運賃預託管理システムであって、
前記ユーザ携帯端末が撮影した前記券売機画面上の預託金情報と携帯端末ＩＤとを前記預託金管理サーバに送信することでユーザ毎の預託金の登録を行う手段と、改札時に前記改札機システムが受信した前記ユーザ携帯端末の携帯端末ＩＤを前記預託金管理サーバに送信することで預託金から運賃の精算を行う手段とを有することを特徴とする運賃預託管理システム。
【請求項２】
券売機と、ユーザ携帯端末と、預託金管理サーバと、改札機システムと、ユーザ携帯端末，預託金管理サーバ，改札機システムを相互に接続するネットワークとを備えた運賃預託管理システムであって、
前記券売機がユーザから入力された預託金額および支払い方法から預託金コードを生成して表示する手段と、前記ユーザ携帯端末が預託金コードを撮影し預託金コードから預託金額および支払い方法を読み取る手段と、前記ユーザ携帯端末が預託金額，支払い方法に携帯端末ＩＤを付加して前記預託金管理サーバに送信する手段と、前記預託金管理サーバがユーザ毎の預託金の登録と支払い方法に応じた決済とを行う手段と、改札時に前記改札機システムが受信した前記ユーザ携帯端末の携帯端末ＩＤと駅情報を前記預託金管理サーバに送信する手段と、前記預託金管理サーバが運賃を算出し預託金から運賃の精算を行う手段とを有することを特徴とする運賃預託管理システム。
【請求項３】
券売機と、ユーザ携帯端末と、預託金管理サーバと、改札機用端末と、改札機と、ユーザ携帯端末，預託金管理サーバ，改札機用端末を相互に接続するネットワークとを備えた運賃預託管理システムであって、
前記券売機は、画面上でユーザから選択された預託金額と支払い方法とを判別し、支払い方法が券売機での決済を必要とするものかを判断する手段と、必要と判断したときに預託金の決済を行う手段と、預託金額と支払い方法とから預託金コードを生成して画面上に表示する手段とを有し、
前記ユーザ携帯端末は、前記券売機画面の預託金コードを撮影する手段と、撮影された預託金コードから預託金額と支払い方法とを読み取る手段と、携帯端末ＩＤを記憶している記憶部と、預託金額，支払い方法および携帯端末ＩＤを前記預託金管理サーバに送信する手段とを有し、
前記預託金管理サーバは、前記ユーザ携帯端末から受信した支払い方法により預託金の決済が必要かを判断する手段と、必要と判断したときに預託金額，支払い方法，携帯端末ＩＤを基に預託金の決済を行う手段と、内部に備えた記憶部にユーザ毎の預託金の入金登録と残高更新を行う手段と、前記改札機用端末から携帯端末ＩＤ，駅情報を受信して運賃を算出し、該当ユーザの預託金残高が運賃以上あるかを照合する手段と、運賃以上の預託金残高があった場合に運賃分を預託金残高から減額して残高更新するとともに改札許可情報を回答する手段と、運賃以上の預託金残高がなかった場合に改札不許可情報を回答する手段とを有し、
前記改札機用端末は、前記改札機から受信した携帯端末ＩＤに駅情報を付加して前記預託金管理サーバに送信する手段と、前記預託金管理サーバから送信された改札許可，不許可情報を前記改札機に送信する手段とを有し、
前記改札機は、前記ユーザ携帯端末から短距離無線通信により携帯端末ＩＤを受信して前記改札機用端末に送信する手段と、前記改札機用端末から受信した改札許可，不許可情報により改札ゲートの開閉制御を行う手段とを有することを特徴とする運賃預託管理システム。
【請求項４】
前記支払い方法は、現金またはプリペイドカード支払い、口座引き落とし、クレジットカード、携帯端末の通信料金払い、を含み、前記券売機は、ユーザから選択された支払い方法が現金またはプリペイドカード支払いであった場合は、預託金額分の券売機への投入をユーザに要求して決済した後に前記預託金コードを生成，表示し、前記預託金管理サーバは、支払い方法が現金またはプリペイドカード支払い以外の場合に、予め登録されたユーザ毎の各支払い方法に応じた決済情報を参照して預託金の決済を行うことを特徴とする請求項３記載の運賃預託管理システム。
【請求項５】
券売機と、ユーザ携帯端末と、預託金管理サーバと、改札機システムと、ユーザ携帯端末，預託金管理サーバ，改札機システムを相互に接続するネットワークとを備えたシステムにおける運賃預託管理方法であって、
前記ユーザ携帯端末が撮影した前記券売機画面上の預託金情報と携帯端末ＩＤとを前記預託金管理サーバに送信することでユーザ毎の預託金の登録を行い、改札時に前記改札機システムが受信した前記ユーザ携帯端末の携帯端末ＩＤを前記預託金管理サーバに送信することで預託金から運賃の精算を行うことを特徴とする運賃預託管理方法。
【請求項６】
券売機と、ユーザ携帯端末と、預託金管理サーバと、改札機システムと、ユーザ携帯端末，預託金管理サーバ，改札機システムを相互に接続するネットワークとを備えたシステムにおける運賃預託管理方法であって、
前記券売機がユーザから入力された預託金額および支払い方法から預託金コードを生成して表示するステップと、前記ユーザ携帯端末が預託金コードを撮影し預託金コードから預託金額および支払い方法を読み取るステップと、前記ユーザ携帯端末が預託金額，支払い方法に携帯端末ＩＤを付加して前記預託金管理サーバに送信するステップと、前記預託金管理サーバがユーザ毎の預託金の登録と支払い方法に応じた決済とを行うステップと、改札時に前記改札機システムが受信した前記ユーザ携帯端末の携帯端末ＩＤと駅情報を前記預託金管理サーバに送信するステップと、前記預託金管理サーバが運賃を算出し預託金から運賃の精算を行うステップとを有することを特徴とする運賃預託管理方法。
【請求項７】
券売機と、ユーザ携帯端末と、預託金管理サーバと、改札機システムと、ユーザ携帯端末，預託金管理サーバ，改札機システムを相互に接続するネットワークとを備えたシステムにおける運賃預託管理方法であって、
前記券売機がユーザから入力された預託金額および支払い方法を判別し、支払い方法が現金またはプリペイドカード支払いでなかった場合には預託金額および支払い方法から預託金コードを生成して表示するステップと、支払い方法が現金またはプリペイドカード支払いであった場合には券売機への現金またはプリペイドカードの投入を依頼し、投入確認後に預託金額および支払い方法から預託金コードを生成して表示するステップと、前記ユーザ携帯端末が預託金コードを撮影し預託金コードから預託金額および支払い方法を読み取るステップと、前記ユーザ携帯端末が預託金額，支払い方法に携帯端末ＩＤを付加して前記預託金管理サーバに送信するステップと、支払い方法が現金またはプリペイドカード支払いでなかった場合に、前記預託金管理サーバが予め登録されたユーザ毎の各支払い方法に応じた決済情報を参照して預託金の決済を行うステップと、前記預託金管理サーバが支払い方法に関係なくユーザ毎の預託金の入金登録と残高更新を行うステップと、改札時に前記改札機システムが受信した前記ユーザ携帯端末のＩＤと駅情報を前記預託金管理サーバに送信するステップと、前記預託金管理サーバが運賃を算出し、該当ユーザの預託金残高が運賃以上あるかを照合するステップと、運賃以上の預託金残高があった場合に運賃分を預託金残高から減額して残高更新するとともに改札許可情報を前記改札機システムに送信するステップと、運賃以上の預託金残高がなかった場合に改札不許可情報を前記改札機システムに送信するステップとを有することを特徴とする運賃預託管理方法。
【請求項８】
ユーザ携帯端末と、預託金管理サーバと、改札機システムと、ユーザ携帯端末，預託金管理サーバ，改札機システムを相互に接続するネットワークとを備えたシステムにおける預託金管理サーバであって、
前記ユーザ携帯端末から受信した支払い方法により預託金の決済が必要かを判断する手段と、必要と判断したときに前記ユーザ携帯端末から受信した預託金額，支払い方法，携帯端末ＩＤを基に預託金の決済を行う手段と、内部に備えた記憶部にユーザ毎の預託金の入金登録と残高更新を行う手段と、前記改札機システムから携帯端末ＩＤ，駅情報を受信して運賃を算出し、該当ユーザの預託金残高が運賃以上あるかを照合する手段と、運賃以上の預託金残高があった場合に運賃分を預託金残高から減額して残高更新するとともに改札許可情報を回答する手段と、運賃以上の預託金残高がなかった場合に改札不許可情報を回答する手段とを有することを特徴とする預託金管理サーバ。
【請求項９】
前記支払い方法は、現金またはプリペイドカード支払い、口座引き落とし、クレジットカード、携帯端末の通信料金払い、を含み、支払い方法が現金またはプリペイドカード支払い以外の場合に、予め登録されたユーザ毎の各支払い方法に応じた決済情報を参照して預託金の決済を行うことを特徴とする請求項８記載の預託金管理サーバ。
【請求項１０】
ユーザ携帯端末と、預託金管理サーバと、改札機システムと、ユーザ携帯端末，預託金管理サーバ，改札機システムを相互に接続するネットワークとを備えたシステムにおける預託金管理サーバに適用されるプログラムであって、
前記ユーザ携帯端末から受信した支払い方法により預託金の決済が必要かを判断する機能、必要と判断したときに前記ユーザ携帯端末から受信した預託金額，支払い方法，携帯端末ＩＤを基に預託金の決済を行う機能、内部に備えた記憶部にユーザ毎の預託金の入金登録と残高更新を行う機能、前記改札機システムから携帯端末ＩＤ，駅情報を受信して運賃を算出し、該当ユーザの預託金残高が運賃以上あるかを照合する機能、運賃以上の預託金残高があった場合に運賃分を預託金残高から減額して残高更新するとともに改札許可情報を回答する機能、運賃以上の預託金残高がなかった場合に改札不許可情報を回答する機能、をコンピュータに実現させるためのプログラム。
【発明の詳細な説明】
【０００１】
【発明の属する技術分野】
本発明は、運賃預託管理システム，方法，運賃預託管理サーバおよびプログラムに関し、特に携帯電話機等の携帯端末を利用した運賃預託管理システム，方法，運賃預託管理サーバおよびプログラムに関する。
【０００２】
【従来の技術】
従来、電車等を利用する場合の運賃は、駅の券売機等で現金やプリペイドカードにより切符を購入するか、そのまま自動改札機を通過可能な近年普及しつつある現金チャージカードを購入することにより決済されている。
【０００３】
しかし、切符を購入する従来例においては、現金やプリペイドカードを持っていないと購入できないことや、その都度行き先までの運賃を調べなくてはならないことや、混雑時等には券売機の前に順番に並んで購入しなければならず時間がかかって電車に乗り遅れるといった問題があった。また、現金チャージカードを利用する従来例においては、現金のチャージ専用カードを携帯していなければならないとともに、現金によるカードへのチャージに手間や時間を要するという問題があった。
【０００４】
そして、これらの問題の解決に取り組んだ例としては、特開２００２−２３０６００公報（特許文献１）に記載の切符販売改札システム及び端末装置がある。
【０００５】
この特許文献１においては、ユーザの携帯端末からブルートゥース等の短距離無線通信により券売機と通信し、行き先を携帯端末へのキー入力や音声入力により入力して券売機に送信し、券売機から通知された運賃を携帯端末に格納された電子マネーで支払い、券売機から送信された切符情報を携帯端末に記憶させることで、切符の購入を行っている。この後、改札機通過時には、携帯端末をかざすことで改札機と無線通信を行い、携帯端末に格納されている切符情報の正否を確認して通過を許可している。
【０００６】
【特許文献１】
特開２００２−２３０６００公報（段落「０００５」、図１）
【０００７】
【発明が解決しようとする課題】
しかし、上述した特許文献１に記載の発明は以下のような問題を有している。
【０００８】
まず、携帯端末に格納した電子マネーで切符の支払いを行うようにしているため、電子マネーを携帯端末に予め入金しておく手間や、電子マネーを格納するＩＣカード等を必要とするという問題がある。
【０００９】
また、切符購入時におけるブルートゥース等の数十メートル程度の範囲の短距離無線通信インターフェース機能と、改札時における十数センチメートル程度の範囲の無線通信インターフェース機能の２種類の無線通信機能を携帯端末に備えなければならないという問題がある。
【００１０】
また、切符購入の度に切符情報を携帯端末に格納するようにしているため、携帯端末に切符情報を格納するためのＩＣカード等を必要とするとともに、電車等を利用する度に、短距離無線通信による切符購入操作をユーザが行わなければならないという問題がある。
【００１１】
本発明は、以上の問題の少なくともいずれかを解決する運賃預託管理システム，方法，運賃預託管理サーバおよびプログラムを提供することを目的とする。
【００１２】
【課題を解決するための手段】
本発明の第１の運賃預託管理システムは、券売機と、ユーザ携帯端末と、預託金管理サーバと、改札機システムと、ユーザ携帯端末，預託金管理サーバ，改札機システムを相互に接続するネットワークとを備えた運賃預託管理システムであって、
前記ユーザ携帯端末が撮影した前記券売機画面上の預託金情報と携帯端末ＩＤとを前記預託金管理サーバに送信することでユーザ毎の預託金の登録を行う手段と、改札時に前記改札機システムが受信した前記ユーザ携帯端末の携帯端末ＩＤを前記預託金管理サーバに送信することで預託金から運賃の精算を行う手段とを有する。
【００１３】
本発明の第２の運賃預託管理システムは、券売機と、ユーザ携帯端末と、預託金管理サーバと、改札機システムと、ユーザ携帯端末，預託金管理サーバ，改札機システムを相互に接続するネットワークとを備えた運賃預託管理システムであって、
前記券売機がユーザから入力された預託金額および支払い方法から預託金コードを生成して表示する手段と、前記ユーザ携帯端末が預託金コードを撮影し預託金コードから預託金額および支払い方法を読み取る手段と、前記ユーザ携帯端末が預託金額，支払い方法に携帯端末ＩＤを付加して前記預託金管理サーバに送信する手段と、前記預託金管理サーバがユーザ毎の預託金の登録と支払い方法に応じた決済とを行う手段と、改札時に前記改札機システムが受信した前記ユーザ携帯端末の携帯端末ＩＤと駅情報を前記預託金管理サーバに送信する手段と、前記預託金管理サーバが運賃を算出し預託金から運賃の精算を行う手段とを有する。
【００１４】
本発明の第３の運賃預託管理システムは、券売機と、ユーザ携帯端末と、預託金管理サーバと、改札機用端末と、改札機と、ユーザ携帯端末，預託金管理サーバ，改札機用端末を相互に接続するネットワークとを備えた運賃預託管理システムであって、
前記券売機は、画面上でユーザから選択された預託金額と支払い方法とを判別し、支払い方法が券売機での決済を必要とするものかを判断する手段と、必要と判断したときに預託金の決済を行う手段と、預託金額と支払い方法とから預託金コードを生成して画面上に表示する手段とを有し、
前記ユーザ携帯端末は、前記券売機画面の預託金コードを撮影する手段と、撮影された預託金コードから預託金額と支払い方法とを読み取る手段と、携帯端末ＩＤを記憶している記憶部と、預託金額，支払い方法および携帯端末ＩＤを前記預託金管理サーバに送信する手段とを有し、
前記預託金管理サーバは、前記ユーザ携帯端末から受信した支払い方法により預託金の決済が必要かを判断する手段と、必要と判断したときに預託金額，支払い方法，携帯端末ＩＤを基に預託金の決済を行う手段と、内部に備えた記憶部にユーザ毎の預託金の入金登録と残高更新を行う手段と、前記改札機用端末から携帯端末ＩＤ，駅情報を受信して運賃を算出し、該当ユーザの預託金残高が運賃以上あるかを照合する手段と、運賃以上の預託金残高があった場合に運賃分を預託金残高から減額して残高更新するとともに改札許可情報を回答する手段と、運賃以上の預託金残高がなかった場合に改札不許可情報を回答する手段とを有し、
前記改札機用端末は、前記改札機から受信した携帯端末ＩＤに駅情報を付加して前記預託金管理サーバに送信する手段と、前記預託金管理サーバから送信された改札許可，不許可情報を前記改札機に送信する手段とを有し、
前記改札機は、前記ユーザ携帯端末から短距離無線通信により携帯端末ＩＤを受信して前記改札機用端末に送信する手段と、前記改札機用端末から受信した改札許可，不許可情報により改札ゲートの開閉制御を行う手段とを有する。
【００１５】
本発明の第４の運賃預託管理システムは、本発明の第３の運賃預託管理システムにおいて、前記支払い方法は、現金またはプリペイドカード支払い、口座引き落とし、クレジットカード、携帯端末の通信料金払い、を含み、前記券売機は、ユーザから選択された支払い方法が現金またはプリペイドカード支払いであった場合は、預託金額分の券売機への投入をユーザに要求して決済した後に前記預託金コードを生成，表示し、前記預託金管理サーバは、支払い方法が現金またはプリペイドカード支払い以外の場合に、予め登録されたユーザ毎の各支払い方法に応じた決済情報を参照して預託金の決済を行うことを特徴とする。
【００１６】
本発明の第１の運賃預託管理方法は、券売機と、ユーザ携帯端末と、預託金管理サーバと、改札機システムと、ユーザ携帯端末，預託金管理サーバ，改札機システムを相互に接続するネットワークとを備えたシステムにおける運賃預託管理方法であって、
前記ユーザ携帯端末が撮影した前記券売機画面上の預託金情報と携帯端末ＩＤとを前記預託金管理サーバに送信することでユーザ毎の預託金の登録を行い、改札時に前記改札機システムが受信した前記ユーザ携帯端末の携帯端末ＩＤを前記預託金管理サーバに送信することで預託金から運賃の精算を行うことを特徴とする。
【００１７】
本発明の第２の運賃預託管理方法は、券売機と、ユーザ携帯端末と、預託金管理サーバと、改札機システムと、ユーザ携帯端末，預託金管理サーバ，改札機システムを相互に接続するネットワークとを備えたシステムにおける運賃預託管理方法であって、
前記券売機がユーザから入力された預託金額および支払い方法から預託金コードを生成して表示するステップと、前記ユーザ携帯端末が預託金コードを撮影し預託金コードから預託金額および支払い方法を読み取るステップと、前記ユーザ携帯端末が預託金額，支払い方法に携帯端末ＩＤを付加して前記預託金管理サーバに送信するステップと、前記預託金管理サーバがユーザ毎の預託金の登録と支払い方法に応じた決済とを行うステップと、改札時に前記改札機システムが受信した前記ユーザ携帯端末の携帯端末ＩＤと駅情報を前記預託金管理サーバに送信するステップと、前記預託金管理サーバが運賃を算出し預託金から運賃の精算を行うステップとを有する。
【００１８】
本発明の第３の運賃預託管理方法は、券売機と、ユーザ携帯端末と、預託金管理サーバと、改札機システムと、ユーザ携帯端末，預託金管理サーバ，改札機システムを相互に接続するネットワークとを備えたシステムにおける運賃預託管理方法であって、
前記券売機がユーザから入力された預託金額および支払い方法を判別し、支払い方法が現金またはプリペイドカード支払いでなかった場合には預託金額および支払い方法から預託金コードを生成して表示するステップと、支払い方法が現金またはプリペイドカード支払いであった場合には券売機への現金またはプリペイドカードの投入を依頼し、投入確認後に預託金額および支払い方法から預託金コードを生成して表示するステップと、前記ユーザ携帯端末が預託金コードを撮影し預託金コードから預託金額および支払い方法を読み取るステップと、前記ユーザ携帯端末が預託金額，支払い方法に携帯端末ＩＤを付加して前記預託金管理サーバに送信するステップと、支払い方法が現金またはプリペイドカード支払いでなかった場合に、前記預託金管理サーバが予め登録されたユーザ毎の各支払い方法に応じた決済情報を参照して預託金の決済を行うステップと、前記預託金管理サーバが支払い方法に関係なくユーザ毎の預託金の入金登録と残高更新を行うステップと、改札時に前記改札機システムが受信した前記ユーザ携帯端末のＩＤと駅情報を前記預託金管理サーバに送信するステップと、前記預託金管理サーバが運賃を算出し、該当ユーザの預託金残高が運賃以上あるかを照合するステップと、運賃以上の預託金残高があった場合に運賃分を預託金残高から減額して残高更新するとともに改札許可情報を前記改札機システムに送信するステップと、運賃以上の預託金残高がなかった場合に改札不許可情報を前記改札機システムに送信するステップとを有する。
【００１９】
本発明の第１の預託金管理サーバは、ユーザ携帯端末と、預託金管理サーバと、改札機システムと、ユーザ携帯端末，預託金管理サーバ，改札機システムを相互に接続するネットワークとを備えたシステムにおける預託金管理サーバであって、
前記ユーザ携帯端末から受信した支払い方法により預託金の決済が必要かを判断する手段と、必要と判断したときに前記ユーザ携帯端末から受信した預託金額，支払い方法，携帯端末ＩＤを基に預託金の決済を行う手段と、内部に備えた記憶部にユーザ毎の預託金の入金登録と残高更新を行う手段と、前記改札機システムから携帯端末ＩＤ，駅情報を受信して運賃を算出し、該当ユーザの預託金残高が運賃以上あるかを照合する手段と、運賃以上の預託金残高があった場合に運賃分を預託金残高から減額して残高更新するとともに改札許可情報を回答する手段と、運賃以上の預託金残高がなかった場合に改札不許可情報を回答する手段とを有する。
【００２０】
本発明の第２の預託金管理サーバは、本発明の第１の預託金管理サーバにおいて、前記支払い方法は、現金またはプリペイドカード支払い、口座引き落とし、クレジットカード、携帯端末の通信料金払い、を含み、支払い方法が現金またはプリペイドカード支払い以外の場合に、予め登録されたユーザ毎の各支払い方法に応じた決済情報を参照して預託金の決済を行うことを特徴とする。
【００２１】
本発明のプログラムは、ユーザ携帯端末と、預託金管理サーバと、改札機システムと、ユーザ携帯端末，預託金管理サーバ，改札機システムを相互に接続するネットワークとを備えたシステムにおける預託金管理サーバに適用されるプログラムであって、
前記ユーザ携帯端末から受信した支払い方法により預託金の決済が必要かを判断する機能、必要と判断したときに前記ユーザ携帯端末から受信した預託金額，支払い方法，携帯端末ＩＤを基に預託金の決済を行う機能、内部に備えた記憶部にユーザ毎の預託金の入金登録と残高更新を行う機能、前記改札機システムから携帯端末ＩＤ，駅情報を受信して運賃を算出し、該当ユーザの預託金残高が運賃以上あるかを照合する機能、運賃以上の預託金残高があった場合に運賃分を預託金残高から減額して残高更新するとともに改札許可情報を回答する機能、運賃以上の預託金残高がなかった場合に改札不許可情報を回答する機能、をコンピュータに実現させる。
【００２２】
【発明の実施の形態】
本発明の実施の形態について図面を参照して詳細に説明する。
【００２３】
図１は、本発明の一実施の形態の構成を示す図であり、券売機１０と、ユーザ携帯端末２０と、預託金管理サーバ３０と、改札機用端末４０と、改札機５０と、ユーザ携帯端末２０，預託金管理サーバ３０，改札機用端末４０を相互に接続するインターネット等のネットワーク１００とを備えている。
【００２４】
券売機１０は、駅等に設置される切符の自動販売機であり、通常の切符販売機能の他に、プログラムにより制御される預託金受付機能を備えている。ここで、預託金とは、予めユーザが鉄道会社に預けておくお金のことであり、電車利用時には預託金から運賃を支払うようにすることで、現金やプリペイドカードを持たないでも電車の利用を可能にするものである。また、預託金受付機能とは、ユーザが券売機において預託金申し込みキーを押下したときに、図４（券売機の運賃預託金受付画面の一例を示す図）に示すような受付画面を表示させ、ユーザが画面上で選択した預託金額と支払い方法とからバーコードやＱＲコード（Ｑｕｉｃｋ  Ｒｅｓｐｏｎｓｅ  Ｃｏｄｅ）等を生成し、図５（券売機における預託金コード表示画面の一例を示す図）に示すように、生成したバーコードやＱＲコードを預託金コードとして画面に表示させる機能を意味している。
【００２５】
ユーザ携帯端末２０は、ユーザが携帯する携帯電話機，ＰＨＳ（Ｐｅｒｓｏｎａｌ  Ｈａｎｄｙｐｈｏｎｅ  Ｓｙｓｔｅｍ），ＰＤＡ（Ｐｅｒｓｏｎａｌ  Ｄｉｇｉｔａｌ  Ａｓｓｉｓｔａｎｃｅ）等の携帯端末であり、券売機１０の表示画面を撮影するカメラと、カメラで撮影した預託金コードから預託金額と支払い方法を読み取るリーダ（例えば、バーコードリーダやＱＲコードリーダ等）と、携帯端末ＩＤ（例えば、携帯電話番号や装置識別子等）を記憶している記憶部と、預託金管理サーバ３０からの通知内容を表示する表示手段と、ネットワーク１００を介して預託金管理サーバ３０に預託金申し込み情報（預託金額，支払い方法，携帯端末ＩＤ）を送信する手段とを備えている。
【００２６】
預託金管理サーバ３０は、鉄道会社に備えられるワークステーション・サーバ等の情報処理装置であり、制御部３１と、記憶部３２とを備えている。
【００２７】
制御部３１は、例えばＣＰＵ等の制御装置であり、プログラムによりその動作を制御される。この制御部３１は、ユーザ携帯端末２０から受信した預託金申し込み情報（預託金額，支払い方法，携帯端末ＩＤ）により、預託金の決済を行う手段と、ユーザ別預託金管理データベース３２２に預託金の入金登録と残高更新を行う手段と、改札機用端末４０から携帯端末ＩＤ情報，駅情報を受信して、改札の許可，不許可を判断し回答する手段と、運賃を算出する手段と、算出した運賃分を預託金残高から減額して更新する手段とを備えている。
【００２８】
記憶部３２は、会員情報データベース３２１と、ユーザ別預託金管理データベース３２２と、ユーザ別乗車情報データベース３２３と、運賃情報データベース３２４とを格納している。会員情報データベース３２１には、図２（会員情報データベース３２１に格納されるデータの一例を示す図）に示すように、会員であるユーザの携帯端末ＩＤと、氏名と、メールアドレスと、決済情報とが予め格納されている。決済情報は、預託金の入金の度に変更可能なように、複数種類の決済情報（例えば、金融機関の口座引き落とし、クレジットカード、携帯端末の通信料金等）が予め登録されている。ユーザ別預託金管理データベース３２２には、図３（ユーザ別預託金管理データベース３２２に格納されるデータの一例を示す図）に示すように、会員の携帯端末ＩＤ対応に、預託金の受付年月日毎の預託金額と現在の預託金残高とが格納される。ユーザ別乗車情報データベース３２３には、会員であるユーザがユーザ携帯端末２０をかざして駅の改札を通過したときの、乗車駅，下車駅情報が登録される。運賃情報データベース３２４には、駅間距離や距離に対応した運賃情報等が予め登録されている。
【００２９】
改札機用端末４０は、複数の改札機５０に対応して駅に設置されるパーソナルコンピュータ等の情報処理装置である。この改札機用端末４０は、改札機から受信した携帯端末ＩＤ，改札機ＩＤに駅情報を付加して預託金管理サーバ３０に送信する手段と、預託金管理サーバ３０から送信された改札許可，不許可情報を受信し、該当する改札機５０に対してこれらの情報を送信する手段とを備えている。
【００３０】
改札機５０は、駅の改札に設けられて改札ゲートの開閉を行う装置であり、改札機用端末４０とはＬＡＮ等のネットワークにより接続されている。この改札機５０は、ユーザ携帯端末２０との間で十数センチメートル程度の短距離無線通信（例えば、赤外線通信等）を行って携帯端末ＩＤを受信し、これに改札機ＩＤを付加して改札機用端末４０に送信する手段と、改札機用端末４０から受信した改札許可，不許可情報により改札ゲートの開閉制御を行う手段とを備えている。
【００３１】
次に、本発明の一実施の形態の動作について図１〜図８を参照して説明する。を示すフローチャートである。
【００３２】
最初に、券売機１０の預託金コード表示画面を表示させるまでの動作について、図４〜図６を参照して説明する。なお、図６は券売機における預託金コード表示時の動作を示すフローチャートである。
【００３３】
図６を参照すると、まず、ユーザが券売機１０において預託金申し込みキーを押下する（ステップＡ１）と、券売機１０は図４に示すような運賃預託金受付画面を表示する（ステップＡ２）。ユーザは、受付画面上で預託金額と支払い方法を選択する（ステップＡ３）。券売機１０は、支払い方法が現金払いまたはプリペイドカードによる支払いかを判断する（ステップＡ４）。そうであれば、券売機１０はユーザに対し、現金またはプリペイドカードの券売機１０への投入依頼を画面に表示する（ステップＡ５）。ユーザから現金またはプリペイドカードが券売機１０に投入されると（ステップＡ６）、券売機１０は預託金分の決済処理を行い、投入額と預託金額の差額の釣り銭の返却や、プリペイドカードから預託金分の減額処理を行う（ステップＡ７）。支払い方法が現金払いまたはプリペイドカードによる支払いであった場合はステップＡ７に続き、また、支払い方法が現金払いまたはプリペイドカードによる支払い以外の方法（クレジットカード、金融機関口座引き落とし、携帯端末の通信料金）であった場合はステップＡ４に続き、券売機１０は預託金額と支払い方法とから預託金コードを生成し、図５のように画面表示する。この預託金コードは一次元コードでも二次元コードでもよく、例えば、バーコードやＱＲコードである（ステップＡ８）。
【００３４】
次に、券売機１０に表示されユーザ携帯端末２０により撮影された預託金の登録時の動作について、図１〜図３，図５および図７を参照して説明する。なお、図７は預託金登録時の動作を示すフローチャートである。
【００３５】
ここで、図７のフローチャートによる説明に入る前に、会員登録について説明する。本発明の運賃預託管理サービスを受けたいユーザは、鉄道会社に会員申し込みを行い、ユーザの会員情報を預託金管理サーバ３０の会員情報データベース３２１に予め登録しておくものとする。例えば、申し込みはネットワーク１００上に開設された運賃預託管理ホームページにおいて行い、制御部３１がユーザから入力された会員情報を会員情報データベース３２１に登録しておく。
【００３６】
次に、図７を参照すると、ユーザは、図５に示す券売機１０の預託金コード表示画面により預託金額と支払い方法が間違いないかを確認した後、ユーザ携帯端末２０に内蔵されたカメラにより預託金コードを撮影する（ステップＢ１）。ユーザ携帯端末２０は、内蔵のコードリーダにより預託金コードから預託金額と支払い方法を読み取り（ステップＢ２）、記憶部に格納している携帯端末ＩＤとともに預託金申し込み情報として預託金管理サーバ３０に送信する（ステップＢ３）。
【００３７】
預託金管理サーバ３０の制御部３１は、預託金申し込み情報（預託金額，支払い方法，携帯端末ＩＤ）を受信すると、まず支払い方法を確認する（ステップＢ４）。現金またはプリペイドカード支払いであった場合は、券売機１０において既に支払いが完了しているため決済処理は行わないが、そうでなかった場合は決済処理を行う。制御部３１は会員情報データベース３２１を参照し、受信した携帯端末ＩＤおよび支払い方法に対応して登録されている決済情報を取得する。図２を参照すると、支払い方法が口座引き落としであった場合は金融機関名，支店名，口座番号等が決済情報となる。制御部３１は、これらの決済情報を基に、図示しない記憶部に接続先アドレスを格納した該当の金融機関サーバに対し、ユーザの口座から鉄道会社の口座への預託金額分の振り込みを依頼する。また、支払い方法が携帯端末の通信料金払いであった場合は、制御部３１は、通信事業者サーバに預託金額分の鉄道会社口座への振り込みを依頼し、通信事業者サーバは預託金額を通信料金に含めてユーザに請求する（ステップＢ５→ステップＢ６）。
【００３８】
預託金の振り込み処理が完了したことを金融機関サーバから受信すると、預託金管理サーバ３０の制御部３１は、ユーザ別預託金管理データベース３２２の該当ユーザの入金預託金を登録するとともに、預託金残高を預託金額分増額して更新する（図３参照）（ステップＢ６→ステップＢ７）。なお、ステップＢ５において、支払い方法が現金またはプリペイドカード支払いであった場合は、券売機１０において既に支払いが完了しているため決済処理を行わず、制御部３１は、ユーザ別預託金管理データベース３２２の該当ユーザの入金預託金を登録するとともに、預託金残高を預託金額分増額して更新する（ステップＢ５→ステップＢ７）。
【００３９】
その後、制御部２１は預託金の受け付けが完了したことを通知する預託受付通知をユーザ携帯端末２０に送信する。預託受付通知には今回入金された預託金額と入金後の預託金残高とが含まれている（ステップＢ８）。ユーザ携帯端末２０は預託受付通知を受信して表示する（ステップＢ９）。
【００４０】
次に、ユーザが電車等を利用した場合の運賃精算時の動作について、図１および図８を参照して説明する。なお、図８は運賃精算時の動作を示すフローチャートである。
【００４１】
図８を参照すると、電車等を利用するユーザは駅の改札機５０にユーザ携帯端末２０をかざし、改札機５０とユーザ携帯端末２０の間で短距離無線通信（例えば、赤外線通信やブルートゥース通信等）を行う。改札機５０は、ユーザ携帯端末２０から携帯端末ＩＤを受信し、自機の改札機ＩＤを付加して改札機用端末４０に送信する（ステップＣ１）。改札機用端末４０は、受信した携帯端末ＩＤ，改札機ＩＤに駅情報（例えば、駅名，駅識別番号等）を付加して預託金管理サーバ３０に送信する（ステップＣ２）。
【００４２】
預託金管理サーバ３０の制御部３１は、まず、受信した携帯端末ＩＤが会員情報データベース３２１に登録されているかを検索する（ステップＣ３）。登録されていなかった場合は、制御部３１は改札不許可情報を改札機用端末４０に送信して処理を終了する（ステップＣ４）。
【００４３】
受信した携帯端末ＩＤが会員情報データベース３２１に登録されていた場合は、制御部３１はユーザ別乗車情報データベース３２３を参照し、乗車駅か下車駅かを判別する。ユーザ別乗車情報データベース３２３には、ユーザ別に乗車駅と下車駅とを組み合わせた利用履歴が時系列で記録されており、最新の記録として乗車駅だけが記録され下車駅が記録されていないときは、今回は下車駅の改札であると判断する。また、最新の記録が乗車駅および下車駅の組み合わせの記録であった場合は、今回は乗車駅の改札であると判断できる（ステップＣ５）。乗車駅であった場合は、制御部３１は、乗車駅情報をユーザ別乗車情報データベース３２３の該当携帯端末ＩＤに対応付けて登録する（ステップＣ６→ステップＣ７）。続いて、制御部３１は改札許可情報を改札機ＩＤとともに改札機用端末４０に送信する（ステップＣ１３）。
【００４４】
ステップＣ５における判別の結果、下車駅であった場合は、制御部３１はユーザ別乗車情報データベース３２３に登録された最新の乗車駅を取得し（ステップＣ６→ステップＣ８）、改札機用端末４０から受信した下車駅情報と合わせて、運賃情報データベース３２４を参照して乗車駅，下車駅間の運賃を算出する（ステップＣ９）。次に、制御部３１はユーザ別預託金管理データベース３２２を参照し、該当携帯端末ＩＤに対応して登録されている預託金残高を取得し、算出した運賃以上の預託金残高があるかを照合する（ステップＣ１０）。運賃未満の預託金残高であった場合は、制御部３１は改札不許可情報を改札機ＩＤとともに改札機用端末４０に送信する（ステップＣ１１）。運賃以上の預託金残高であった場合は、制御部３１は預託金残高から運賃を差し引いた値を新たな預託金残高としてユーザ別預託金管理データベース３２２を更新し（ステップＣ１２）、改札許可情報を改札機ＩＤとともに改札機用端末４０に送信する（ステップＣ１３）。
【００４５】
改札機用端末４０は、預託金管理サーバ３０から改札許可情報（ステップＣ１３）または改札不許可情報（ステップＣ４、ステップＣ１１）と改札機ＩＤとを受信し、受信した改札機ＩＤの改札機５０に対して改札許可情報または改札不許可情報を送信する（ステップＣ１４）。改札機５０は、改札機用端末４０から改札許可情報を受信すると改札ゲートを開き、改札不許可情報を受信すると改札ゲートを閉じたままとする（ステップＣ１５）。
【００４６】
なお、ステップＣ１０，Ｃ１１で説明したように、下車時に運賃以下の預託金残高しか残っていなかった場合は改札が不許可となり改札を抜けられないため、その時点で預託金の入金ができるよう精算機にも預託金受付機能を持たせたり、改札を抜ける前の精算等の場所に預託金受付機を設置するのが望ましい。または、駅員に預託金不足を説明し、駅員が預託金管理サーバ３０にアクセスしてユーザ別乗車情報データベース３２３から該当ユーザの乗車駅情報を取得し、その場で現金精算するようにしてもよい。
【００４７】
また、以上の説明においては、支払い方法は、現金またはプリペイドカード支払い、口座引き落とし、クレジットカード、携帯端末の通信料金払い、の中から選択するようにしたが、現金またはプリペイドカード支払いを削除し、預託金の決済は全て預託金管理サーバ３０にて自動的に行うようにしてもよい。
【００４８】
【発明の効果】
本発明は、携帯端末から預託金管理サーバに預託金を一度登録しておけば、改札時に携帯端末ＩＤを送信するだけで預託金により運賃を自動精算するようにしたため、毎回キップを買ったり、毎回切符情報を携帯端末に取り込んだりする必要がなく、簡易に運賃の自動決済を済ませることができるという効果がある。
【００４９】
また、本発明における預託金の登録は、券売機の画面上に表示された預託金コードを携帯端末のカメラで撮影して預託金管理サーバに送信するだけであるため、面倒な操作を行うことなく簡単に登録できるという効果がある。
【図面の簡単な説明】
【図１】本発明の一実施の形態の構成を示す図である。
【図２】会員情報データベース３２１に格納されるデータの一例を示す図である。
【図３】ユーザ別預託金管理データベース３２２に格納されるデータの一例を示す図である。
【図４】券売機の運賃預託金受付画面の一例を示す図である。
【図５】券売機における預託金コード表示画面の一例を示す図である。
【図６】券売機における預託金コード表示時の動作を示すフローチャートである。
【図７】預託金登録時の動作を示すフローチャートである。
【図８】運賃精算時の動作を示すフローチャートである。
【符号の説明】
１０    券売機
２０    ユーザ携帯端末
３０    預託金管理サーバ
３１    制御部
３２    記憶部
３２１    会員情報データベース
３２２    ユーザ別預託金管理データベース
３２３    ユーザ別乗車情報データベース
３２４    運賃情報データベース
４０    改札機用端末
５０    改札機
１００    ネットワーク
【図１】
2005018201.tif 000003
【図２】
2005018201.tif 000004
【図３】
2005018201.tif 000005
【図４】
2005018201.tif 000006
【図５】
2005018201.tif 000007
【図６】
2005018201.tif 000008
【図７】
2005018201.tif 000009
【図８】
2005018201.tif 000010